(57)【要約】【課題】 弾性部材により形成された管状部材を拡径した状態に保持し、被装着体に組み付けたときに拡径状態を解除することにより容易に装着することが可能な管状部材の拡径保持具を提供する。【解決手段】 拡径された管状部材３の挿通孔３ａに拡径保持具１０を挿入して螺旋状の拡径保持部１１により拡径状態を保持する。拡径保持部１１の螺旋状部は、紐１２により連結されており、先端１１ａに固定された２本の紐１３、１３を矢印方向に引っ張ることにより、先端１１ａから順に矢印方向に引っ張られて管状部材３から引き抜かれる。管状部材３は、拡径保持部１１が引き抜かれると弾性力により縮径する。【選択図】図１
2006074996.tif 000002
【特許請求の範囲】
【請求項１】
拡径された弾性を有する管状部材に略全長に亘り内嵌され、周方向に略均等に拡径した状態を保持する拡径保持部と、
前記拡径保持部の先端に設けられ、基端方向への引っ張り操作によって先端から基端に向かって前記拡径保持部の拡径を解除しながら、前記管状部材から前記拡径保持部を引き抜く引抜部とを備えた管状部材の拡径保持具であって、
前記拡径保持部は、先端から基端に向かって徐々に拡径して形成されており、
前記引抜部は、前記拡径保持部と別部材で形成され、当該引抜部の先端が前記拡径保持部の先端に固定され、当該引抜部の後端が前記拡径保持部を通して基端側から後方に延出されている
ことを特徴とする管状部材の拡径保持具。
【請求項２】
前記拡径保持部は、軸方向に摺動可能に順次外嵌され、各基端に内方に張り出すフランジ等の係止用機構が設けられた、複数の円筒体により伸縮可能に形成され、
前記引抜部は先端が前記拡径保持部の先端側の、最小径の前記円筒体に固定され、後端が前記拡径保持部を通して基端側から後方に延出されていることを特徴とする請求項１に記載の管状部材の拡径保持具。
【発明の詳細な説明】
【技術分野】
【０００１】
本発明は、特に電力ケーブルの端末・接続部の処理のためのとう管端やストレスコーン等の管状部材を拡径した状態に保持し、処理後に拡径を解除するために管状部材から取り去られる管状部材の拡径保持具に関する。
【背景技術】
【０００２】
例えば、電力ケーブルの端末処理部としては、図１５に示すように電力ケーブル１の端末１ａに接続された接続端子２と、当該端末１ａに装着したゴム製のストレスコーン３との間を絶縁及び防水処理したもの、或いは接続端子ととう管をゴム部材により一体にモールドしたもの（図示せず）等が使用されている。これらの端末処理部においては、前記ストレスコーンやとう管をケーブル絶縁体に弾性力により密着させて装着する。また、接続部としても、プレハブ式接続部では、ストレスコーンをケーブル絶縁体上に装着した後その上に絶縁筒を装着し、差込式接続部では、スペーサをケーブル絶縁体上に装着し、スリーブカバーを導体接続管に装着した後その上に絶縁筒を装着する。そして、ストレスコーンの外径は、ケーブル絶縁体よりも僅かに小径に、絶縁筒の内径は、スペーサの外径よりも僅かに小径に形成されている。
【０００３】
そして、とう管、ストレスコーン、スペーサをケーブル絶縁体上に、絶縁筒の場合はスペーサとスリーブカバー上に装着し、組み付けを行う。しかしながら、これらの各部材の内径は、ケーブル絶縁体よりも僅かに小径に（絶縁筒の場合はスペーサよりも僅かに小径に）形成されているために、これらの各部材をケーブル絶縁体やスペーサ上に装着することはかなり困難である。
このため、ケーブル絶縁体表面やスペーサ、スリーブカバーに潤滑剤としてシリコーングリース又はシリコーンオイルを塗布して装着作業を行っているが、ケーブル絶縁体やスペーサ、スリーブカバーの外径が大きめの公差でできたものについては、潤滑剤を塗布しても装着が困難な場合があり作業性が悪い。また、ストレスコーンなどの部材は、ケーブルサイズ毎に内径が決まっている。
【発明の開示】
【発明が解決しようとする課題】
【０００４】
このような問題を解決するために例えば、ストレスコーンの装着の際の作業性を向上させるために内径を拡径してケーブルに挿入し、所定の位置で拡径状態を解除するための工具が提案されている（実開平５−７０１２１号）。しかしながら、この工具は、ストレスコーンを全周に亘り均等に拡径するものではなく、ある決まった一の直径方向にのみ拡径し、他の直径方向には拡径し得ない構造であるために、ケーブルへの挿入時における摩擦力は低減されるであろうが、適用し得るケーブルは、拡径し得ない方向の内径により規定され、決まったケーブルサイズにしか対応することができない。このため、部品のサイズ共用化を図ることができないという問題がある。
【０００５】
また、図１６に示すように中空円筒体５の外周面にその全長に亘り螺旋状の溝５ａを刻設して帯状に連続して切り離し可能な中空円筒体（特公昭４９−４６１９０号）が提案されている。この中空円筒体５は、適宜寸法に拡径したゴム弾性を有するチューブ６内に挿入されて密着される。そして、チューブ６をケーブル１の所定の装着箇所まで挿入した後、螺旋状の溝５ａにより連続して切り離される帯状片５ｂを順次引き出す。これにより、中空円筒体５が解体されてチューブ６がケーブル１の所定箇所に装着される。
【０００６】
しかしながら、中空円筒体５を解体除去し、チューブ６をケーブル１に装着する際には、帯状片５ｂをケーブル１の回りに螺旋を解く方向に回しながら引き抜かないと、引き出した帯状片５ｂがケーブル１に絡み付いてしまい、手間が掛かるという問題がある。本発明は、上述の点に鑑みてなされたもので、弾性部材により形成された管状体を拡径した状態に保持し、被装着体に組み付け時に拡径状態を解除することにより容易に装着することが可能な管状部材の拡径保持具を提供することを目的とする。
【課題を解決するための手段】
【０００７】
上記目的を達成するために本発明によれば、請求項１では、拡径された弾性を有する管状部材に略全長に亘り内嵌され、周方向に略均等に拡径した状態を保持する拡径保持部と、前記拡径保持部の先端に設けられ、基端方向への引っ張り操作によって先端から基端に向かって前記拡径保持部の拡径を解除しながら、前記管状部材から前記拡径保持部を引き抜く引抜部とを備えた管状部材の拡径保持具であって、前記拡径保持部は、先端から基端に向かって徐々に拡径して形成されており、前記引抜部は、前記拡径保持部と別部材で形成され、当該引抜部の先端が前記拡径保持部の先端に固定され、当該引抜部の後端が前記拡径保持部を通して基端側から後方に延出されている構成としたものである。
【０００８】
請求項２では、前記拡径保持部は、軸方向に摺動可能に順次外嵌され、各基端に内方に張り出すフランジ等の係止用機構が設けられた、複数の円筒体により伸縮可能に形成され、前記引抜部は先端が前記拡径保持部の先端側の、最小径の前記円筒体に固定され、後端が前記拡径保持部を通して基端側から後方に延出されている構成としたものである。
【発明の効果】
【０００９】
本発明の拡径保持具によれば、管状部材例えば、ケーブルの端末・接続部等に装着するとう管、ストレスコーン、スペーサ、絶縁筒等の内側にこれを配することにより、これらをケーブル等の装着予定箇所の外径よりも大きな内径の拡径状態に長期に亘って保持できる。また、これを解体することで容易に拡径状態を解除することができることにより、ケーブル端末・接続処理における作業性を大幅に向上させることができる。更には、所定装着箇所の外径の数倍に拡径した状態を保持することにより、同一の管状部材等を広範囲の寸法に亘って使用することが可能となり、部材のサイズの共用化を図ることができる。
【００１０】
本発明の拡径保持具によれば、構成が極めて簡単であり、且つ拡径した管状部材からの引き抜き時における摩擦力が小さく取扱が容易である。また、非常に安価に提供することができる。この拡径保持具によれば、引抜部を装着部の長さ方向に引っ張る操作のみで、引き抜き作業を完了させることができ、引き抜き作業が簡単であるという利点がある。
【００１１】
本発明の拡径保持具によれば、管状部材の拡径状態を非常に良好に保持することができ、且つ拡径した管状部材からの引き抜き時における摩擦力も小さく取扱が容易である。この拡径保持具によれば、引抜部を装着部の長さ方向に引っ張る操作のみで、引き抜き作業を完了させることができ、引き抜き作業が極めて容易であるという利点がある。
【００１２】
本発明の拡径保持具によれば、管状部材から引き抜いた後帯状片に解体されるために特にケーブルの中間接続部における処理後の接続部からの取り外しが極めて簡単であり、作業性の向上が図られる。この拡径保持具によれば、引抜部を装着部の長さ方向に引っ張る操作のみで、引き抜き作業を完了させることができ、引き抜き作業が簡単であるという利点がある。
【発明を実施するための最良の形態】
【００１３】
以下、本発明の実施の形態を、実施例１、実施例２及び実施例３により説明する。
（実施例１）図１及び図２において管状部材の拡径保持具１０は、螺旋条体１１と、この螺旋条体１１の各螺旋部（巻き線部：１ピッチ毎に区切った各部分）を連結する複数の可撓性条体（以下「紐」という）１２と、引き抜き用の複数、例えば、２本の紐１３、１３とにより構成されており、螺旋条体１１と紐１２とにより拡径保持部が形成され、紐１３、１３が引抜部とされている。螺旋条体１１は、所定のピッチで線条体を螺旋状に巻回した形状とされており、その全長が拡径保持すべき管状部材の長さ程度とされている。この螺旋条体１１は、弾性を有する線状又は帯状の金属部材、ポリエチレンやポリプロピレン等のポリオレフィン、ポリエステル、硬質塩化ビニル等のプラスチック部材により形成されている。
【００１４】
螺旋条体１１は、先端１１ａから基端１１ｂに向かって徐々に拡径して形成されており、各ピッチの螺旋部の内径（巻き径）が、１ピッチ前隣り（先端側）の螺旋部の外径（巻き径）と略同径或いは僅かに大径とされている。巻き径は、線条体の外径に比べて非常に大径とされ、先端１１ａの巻き径が最小、基端１１ｂの巻き径が最大とされている。しかしながら、巻き径に比べて線条体が小径である（細い）ために先端１１ａと基端１１ｂとの外径差は、僅少である。そして、この螺旋条体１１ａの内径は、ケーブル等の管状部材を装着すべき所定箇所の外径よりも数倍大きく設定されている。
【００１５】
螺旋条体１１は、先端１１ａから後端１１ｂまで隣接する各ピッチの螺旋部が紐１２により周方向に等間隔で複数箇所、例えば、４箇所づつ接続されて連結されている。螺旋条体１１は、各螺旋部が紐１２により連結されているために引張方向の伸びが規制され図示のような自由長に保持される。そして、後述するように紐１３により先端１１ａが基端１１ｂ側に引っ張られると、これに伴い当該先端１１ａから順に隣の螺旋部を順次くぐり抜け、最終的には基端１１ｂを通り抜けて反転（反対向き）可能とされる。
【００１６】
２本の紐１３は、各一端が夫々螺旋条体１１の先端１１ａに周方向に等間隔即ち、直径上の両端位置に固定されており、各他端が螺旋条体１１内を通して基端１１ｂ側から後方に延出されている。そして、これらの各紐１３の後端には夫々環状の取手１４が固定されている。２本の紐１３、１３は、螺旋条体１１の先端１１ａを図示のような状態で後端１１ｂ側に引っ張るためのものである。従って、紐１３は、少なくとも２本設けるとバランスがよいが、これに限るものではなく、３本以上でも同様の効果がある。この場合、各紐の先端は、螺旋条体１１の先端１１ａに周方向に等間隔で固定する方が良いことは勿論である。
【００１７】
以下に作用を説明する。先ず、拡径すべき管状部材例えば、ストレスコーン３を工場等で外力により拡径し、図３のように拡径された挿通孔３ａに拡径保持具１０を挿入する。このとき拡径保持具１０は、ストレスコーン３の挿通孔３ａから引き抜く方向（矢印方向）の手前側に螺旋状態１１の大径の基端１１ｂが、奥手側に小径の先端１１ａが位置するように挿入する。これにより拡径保持具１０は、ストレスコーン３を拡径した状態で長期に亘り保持することができる。
【００１８】
このストレスコーン３をケーブル１に装着するには、図４に示すように拡径保持具１０内に段剥ぎを終了したケーブル１を所定の位置まで挿入する。次いで、ストレスコーン３を軽く押さえる等して把持し、引き抜き用の紐１３、１３を取手１４、１４を掴んで矢印方向に引っ張る。これに伴い先ず、先端１１ａが引っ張られて後方に移動し、隣りの螺旋部をくぐり抜ける。このとき先端１１ａ及び隣りの螺旋部が紐１２により連結されているために、各螺旋部は、同心円状にその形状を保持しながら基端１１ｂ側に引き抜かれる。この動作を続けることにより先端１１ａが基端１１ｂから後方に抜け出し、最終的に全ての螺旋部がストレスコーン３の挿通孔３ａから引き抜かれる（図５）。そして、螺旋条体１１は、図３及び図４に示す状態から反転された状態になる。螺旋状態１１は、弾性部材により形成されており、容易に変形して反転可能である。
【００１９】
この拡径保持具１０では螺旋条体１１とストレスコーン３との接触面積が小さいので、拡径保持具１０のストレスコーン３からの引き抜き持における挿通孔３ａの内面と螺旋条体１１との間に生じる摩擦力が小さい。従って、拡径保持具１０をストレスコーン３から引き抜く際の力が小さくて済み、引き抜きが容易である。
【００２０】
ストレスコーン３は、拡径された挿通孔３ａから螺旋条体１１が引き抜かれるに伴い、弾性により縮径してケーブル１に装着される。そして、図５のようにストレスコーン３から拡径保持具１０が完全に引き抜かれると、当該ストレスコーン３のケーブル１上への装着が完了する。このようにして、簡単にケーブル１上にストレスコーン３を装着することができる。この拡径保持具１０によれば、引抜部を装着部の長さ方向に引っ張る操作のみで、引き抜き作業を完了することができるために、引き抜き作業が簡便である利点がある。
【００２１】
とう管、スペーサ、絶縁筒等の他の管状部材も、上述と同様の手順により、ケーブル１等の所定箇所に装着することができる。また、各管状部材の内径を、所定の装着箇所の外径に対して数倍に拡径しておくことにより、拡径保持具１０を、一つの外径寸法で製造しても広範囲の外径寸法のケーブル等に対応することが可能である。従って、管状部材を広範囲に亘って使用することができ、部材のサイズの共用化を図ることができる。
【００２２】
また、長尺の管状部材を拡径保持する場合には、図１に示す拡径保持具１０を２つ組み合わせて使用することにより容易に対処することができる。図６は、長尺の管状部材を拡径保持する場合の拡径保持具１０の使用例を示す。図６において、長尺の絶縁筒１５の挿通孔１５ａを拡径し、その両開口端から図１に示す拡径保持具１０を挿入する。このとき拡径した孔１５ａ内において各螺旋条体１１の先端１１ａ同士を対向させるようにして挿入する。これにより絶縁筒１５は、拡径された状態で長期間保持される。この拡径保持具１０は、作業スペースの縮小化等、大サイズ用の絶縁筒、長尺の管状部材の拡径保持に適している。
【００２３】
この拡径保持された絶縁筒１５内にケーブル１、１の接続部を挿入し、各拡径保持具１０の各引き抜き用の紐１３、１３を夫々矢印方向に引き抜く。そして、絶縁筒１５から拡径保持具１０、１０が完全に引き抜かれると、当該絶縁筒１５のケーブル１の接続部上への装着が完了する。このようにして長尺の絶縁筒１５を簡単に装着することができる。
（実施例２）図７において拡径保持具１７は、軸方向に伸縮自在な長尺円筒体１８と、複数本例えば、２本の引き抜き用紐２０とにより構成されている。円筒体１８は、多段式の円筒体で、軸方向に摺動可能に多数、例えば、図示のように１１個の薄肉の短い円筒体１９Ａ〜１９Ｋが順次外嵌されて形成されている。これらの各円筒体１９Ａ〜１９Ｋは、先端１８ａの円筒体１９Ａから基端１８ｂの円筒体１９Ｋまでその内径が順次大きく形成されており、円筒体１９Ａが最小径、円筒体１９Ｋが最大径とされている。そして、円筒体１８の内径は、ケーブル等の管状部材を装着すべき所定箇所の外径よりも数倍大きく設定されている。
【００２４】
円筒体１９Ａ〜１９Ｋの基端側開口端内面には夫々係止用のフランジ１９ａ〜１９ｋが形成されている。そして、円筒体１９Ａが円筒体１９Ｂに収納された際にフランジ１９ａがフランジ１９ｂに係止されるようになっている。他の円筒体１９Ｂ、１９Ｃ、〜、円筒体１９Ｊについても同様である。これにより長尺円筒体１８を最小長さに縮めたときに、円筒体１９Ａ〜１９Ｊが順次円筒体１９Ｋ内に収納可能となる。尚、フランジに代えて係止用の爪を形成しても良い。これらの円筒体１９Ａ〜１９Ｋは、ポリエチレンやポリプロピレン等のポリオレフィン、ポリエステル、硬質塩化ビニル等のプラスチック部材により形成されている。
【００２５】
円筒体１９Ａ〜１９Ｋは、図示のように順次収納されている各円筒体の基端が収納している円筒体の各開口端近傍まで引き出された状態即ち、円筒体１８を引き伸ばした状態で接着されて相互に固定されている。そして、各円筒体１９Ａ〜１９Ｋは、後で管状部材から引き抜くときに接着部を容易に剥離（解体）できる程度の接着力で接着されている。
【００２６】
引き抜き用の紐２０、２０の各先端は、円筒体１８の先端１８ａ側の最小径の円筒体１９Ａの内面に、周方向に沿って等間隔即ち、直径上の両端位置に固定されており、各後端は、円筒体１８内を貫通して基端１８ｂ側の円筒体１９Ｋから後方に延出されている。尚、各紐２０の後端には夫々環状の取手２１が設けられている。
【００２７】
実施例１の場合と同様にして図８のように拡径されたストレスコーン３の挿通孔３ａに拡径保持具１７を挿入する。このとき拡径保持具１７は、ストレスコーン３から引き抜く方向の手前側に円筒体１８の大径の円筒体１９Ｋが、奥手側に小径の円筒体１９Ａが位置するように挿入する。このストレスコーン３をケーブル１に装着するには、図８に示すように拡径保持具１７内に段剥ぎを終了したケーブル１を所定の位置まで挿入し、ストレスコーン３を軽く押さえて把持し、引き抜き用の紐２０、２０を取手２１、２１を掴んで矢印方向に引っ張る。これに伴い先ず先頭の円筒体１９Ａと次の円筒体１９Ｂと接着部が剥離され、円筒体１９Ａが円筒体１９Ｂ内に引き込まれて収納され、且つフランジ１９ａがフランジ１９ｂに係止される。紐２０、２０を引っ張り続けると、同様にして円筒体１９Ｂ〜１９Ｊが順次隣りの円筒体内に収納され、最終的に円筒体１９Ｋに収納される。
【００２８】
拡径保持具１７をストレスコーン３から引き抜くときの挿入孔３ａの内面と円筒体１８の表面との間に生じる摩擦力は、少なくとも（１／短円筒体の数（円筒体１９Ａ、１９Ｂ、〜））にまで減少させることができる。従って、拡径保持具１７をストレスコーン３から引き抜く際の力が小さくて済み、引き抜きが容易である。ストレスコーン３は、円筒体１９Ａ〜１９Ｋが順次隣の円筒体内に収納されるに伴い弾性により縮径してケーブル１に装着される。そして、図９のように円筒体１８がストレスコーン３から完全に引き抜きかれると、当該ストレスコーン３のケーブル１上への装着が完了する。この拡径保持具１７によれば、引抜部を装着部の長さ方向に引っ張る操作のみで、引き抜き作業を完了させることができ、引き抜き作業が容易であるという利点がある。
【００２９】
とう管、スペーサ、絶縁筒等の他の管状部材も、上述と同様の手順によりケーブル１等の所定箇所に装着することができる。また、各管状部材の内径を、所定の装着箇所の外径に対して数倍に拡径しておくことにより、拡径保持具１７を、一つの外径寸法で製造しても広範囲の外径寸法のケーブル等に対応することが可能である。従って、管状部材を広範囲に亘って使用することができ、部材のサイズの共用化を図ることができる。
【００３０】
また、長尺の管状部材を拡径保持する場合には、実施例１の場合と同様に図７に示す拡径保持具１７を２つ組み合わせて使用する。即ち、長尺の管状部材を拡径し、その両開口端から図７に示す拡径保持具１７を、当該拡径した孔内において各円筒体１９Ａ同士を対向させて挿入する。この管状部材のケーブルへの装着は、実施例１の場合と同様である。
（実施例３）図１０及び図１１において拡径保持具２５は、長尺の円筒体２６の先端２６ａから中央部を僅かに超えた位置まで、長手方向に沿うスリットにより、周方向に略等間隔で複数の帯状片２６ｃに分割されている。従って、帯状片２６ｃの長さは、円筒体２６の残りの円筒部２６ｄの長さよりも長く形成されている。円筒部２６ｄの内面には、各帯状片２６ｃの終端から当該円筒体２６の基端２６ｂまで長手方向に沿って、各帯状片２６ｃの分割線の延長上に弱化線例えば、ミシン目２６ｅが設けられている。これにより、円筒部２６ｄは、帯状片２６ｃに連設して長手方向に切り裂き可能とされる。尚、ミシン目２６ｅに代えて溝を形成してもよい。
【００３１】
そして、図１１に示すように各帯状片２６ｃを、円筒部２６ｄと連設する近傍から内方に略Ｕ字状に折り曲げて当該円筒部２６ｄ内に差し込み、且つ当該円筒部２６ｄの基端２６ｂから後方に延出させる。このとき隣り合う帯状片２６ｃの折り曲げ位置（湾曲部）２６ｃ’、２６ｃ”を図のように交互にずらせることにより、円筒部２６ｄ内において同心的な二重円を形成するような配置とする。これにより帯状片２６ｃを、互いに干渉することなく円筒部２６ｄ内に差し込み、且つ後方に略並行に延出させることができる。
【００３２】
そして、円筒体２６の内径即ち、帯状片２６ｃにより円筒部２６ｄ内に形成される二重円の内側の円の内径は、ケーブル等の管状部材を装着すべき所定箇所の外径よりも数倍大きく設定されている。この円筒体２６は、ポリエチレンやポリプロピレン等のポリオレフィン、ポリエステル、硬質塩化ビニル等のプラスチック部材により形成されている。尚、図１２に示すように円筒部２６ｄから後方に延出された各帯状片２６ｃの端末をリング２７により固定して纏めるようにしても良い。
【００３３】
実施例１の場合と同様にして図１３のように拡径されたストレスコーン３の挿通孔３ａに拡径保持具２５を挿入する。このとき拡径保持具２５は、ストレスコーン３から引き抜く方向の手前側に円筒部２６ｄの基端（帯状片２６ｃの延出側）が、奥手側に円筒部２６ｄの先端（帯状片２６ｃの折曲部２６ｃ’、２６ｃ”側）が位置するように挿入する。
【００３４】
このストレスコーン３をケーブル１に装着するには、拡径保持具２５内に段剥ぎを終了したケーブル１を所定の位置まで挿入し、ストレスコーン３を軽く押さえて把持し、リング２７（各帯状片２６ａの延出部）を掴んで矢印方向に引っ張る。これに伴い円筒部２６ｄが、各ミシン目２６ｅに沿って各帯状片２６ａに連設して基端側に向かって引き裂かれ、先端側から徐々に解体される。引き裂かれた各帯状部分は、連設する各帯状片２６ｃと共にストレスコーン３から引き抜かれる。ストレスコーン３は、円筒部２６ｄが解体されるに伴い縮径してケーブル１に装着される。そして、図１４のように円筒部２６ｄが完全に解体されてストレスコーン３から完全に引き抜きかれると、当該ストレスコーン３のケーブル１上への装着が完了する。この拡径保持具２５によれば、引抜部を装着部の長さ方向に引っ張る操作のみで、引き抜き作業を完了させることができ、引き抜き作業が簡単である。
【００３５】
とう管、スペーサ、絶縁筒等の他の管状部材も、上述と同様の手順によりケーブル１等の所定箇所に装着することができる。また、各管状部材の内径を、所定の装着箇所の外径に対して数倍に拡径しておくことにより、拡径保持具２５を、一つの外径寸法で製造しても広範囲の外径寸法のケーブル等に対応することが可能である。従って、管状部材を広範囲に亘って使用することができ、部材のサイズの共用化を図ることができる。
【００３６】
また、長尺の管状部材を拡径保持する場合には、実施例１の場合と同様に拡径した管状部材の両開口端から拡径保持具２５を、当該拡径した孔内において各円筒部２６ｄの先端を対向させて挿入する。この管状部材のケーブルへの装着は、実施例１の場合と同様である。
【図面の簡単な説明】
【００３７】
【図１】本発明に係る管状部材の拡径保持具の実施例１の断面図である。
【図２】図１の螺旋条体の端面図である。
【図３】図１の拡径保持具の使用状態を示し、管状部材を拡径状態に保持する場合の断面図である。
【図４】図３の拡径保持した管状部材をケーブルに装着する場合の説明図である。
【図５】図４の管状部材から拡径保持具を取り去りケーブルに装着した状態を示す説明図である。
【図６】図１の拡径保持具の他の使用例を示し、拡径保持具を２つ使用して拡径保持した長尺の管状部材をケーブルに装着する場合の説明図である。
【図７】本発明に係る拡径保持具の実施例２の断面図である。
【図８】図８の拡径保持具の使用例を示す説明図である。
【図９】図８において拡径保持具を取り去って管状部材をケーブルに装着した状態を示す図である。
【図１０】本発明に係る拡径保持具の実施例３を示し、拡径保持具の組立前の状態を示す側面図である。
【図１１】図１０の拡径保持具の組立後の側面図である。
【図１２】図１１の拡径保持具の帯状片の端末処理の説明図である。
【図１３】図１１の拡径保持具の使用状態を示す説明図である。
【図１４】図１１の拡径保持具を取り去って管状部材をケーブルに装着した状態を示す説明図である。
【図１５】ケーブルの端末処理の説明図である。
【図１６】従来の管状部材の拡径保持具の一部切欠断面図である。
【符号の説明】
【００３８】
１ ケーブル
２ 接続端子
３ ストレスコーン
１０、１７、２５ 拡径保持具
１１ 螺旋条体
１２、１３、２０ 紐
１５ 長尺管状部材
１８ 長尺円筒体
１９Ａ〜１９Ｋ 円筒体
２６ 円筒体
２６ｃ 帯状片
２６ｄ 円筒部
【図１】
2006074996.tif 000003
【図２】
2006074996.tif 000004
【図３】
2006074996.tif 000005
【図４】
2006074996.tif 000006
【図５】
2006074996.tif 000007
【図６】
2006074996.tif 000008
【図７】
2006074996.tif 000009
【図８】
2006074996.tif 000010
【図９】
2006074996.tif 000011
【図１０】
2006074996.tif 000012
【図１１】
2006074996.tif 000013
【図１２】
2006074996.tif 000014
【図１３】
2006074996.tif 000015
【図１４】
2006074996.tif 000016
【図１５】
2006074996.tif 000017
【図１６】
2006074996.tif 000018